(57)【特許請求の範囲】
【請求項１】
梁に設けられた吊具に屋根体を吊り下げ支持した屋根構造体であって、上記吊具の両側から１対の吊り片を垂下形成し、これらの吊り片の下部には斜め上向きに突出する係合部を互いに向き合うように形成する一方、上記屋根体には、その屋根枠の前枠と後枠とに架設されて屋根パネルを支持する垂木を備え、この垂木の上部には、その長手方向に沿って立上り部を形成するとともに、この立上り部の両側部に係合部を形成し、上記吊具の吊り片の係合部と上記垂木の係合部とを係合させ、
上記１対の吊り片の側方から立上り部にボルトを嵌挿させ、ナットで止着固定したことを特徴とする屋根構造体。
【請求項２】
上記吊り片の下部の係合部は係合爪であり、上記立上り部の両側の係合部は係合溝であることを特徴とする、請求項１に記載の屋根構造体。
【請求項３】
上記立上り部の上端を膨出させ、膨出部の上端面両側には、上記両側の吊り片の先端に当って押し広げ可能なガイド面を傾斜形成したことを特徴とする、請求項１又は２に記載の屋根構造体。
【請求項４】
上記１対の吊り片の両側には補強リブを形成したことを特徴とする、請求項１〜３のいずれかに記載の屋根構造体。
【発明の詳細な説明】
【技術分野】
【０００１】
本発明は、支柱間の梁の下に吊具を介して屋根体を吊り下げ支持した屋根構造体に関する。
【背景技術】
【０００２】
一般に、車庫に設置されるカーポートは、左右両側の支柱の上部に架設された前部の梁と、両側支柱の後部にそれぞれ設けられた左右の支柱に架設された後部の梁とに屋根体を支持させたものであるが、梁に屋根体を支持する方式には、特許文献１に示されるように、梁の上部に屋根体を支持する方式と、梁の下に屋根体を吊り下げ支持する方式とが考えられている。
【０００３】
梁の下に屋根体を吊り下げ支持する方式では、屋根体の両側を吊り部材を介して梁に吊り下げ支持している。
【０００４】
ところで、最近は、屋根構造体の概念は、屋根が風雨等から人や車を守るという共通の観点に立ち、単にカーポートやテラス屋根や玄関アプローチにおける玄関庇を一体に構成した大型屋根構造体の実現に向けた機運が高まってきている。このような大型屋根構造体によれば、居心地のよいインテリアの延長空間を室外側に創出することができる。
【先行技術文献】
【特許文献】
【０００５】
【特許文献１】特開２００３−２６８９９８号公報
【発明の概要】
【発明が解決しようとする課題】
【０００６】
しかしながら、従来の屋根構造体は、特許文献１のように、梁の下に屋根連結具（吊具）を設け、さらに屋根連結具の下部に屋根体を構成する桁を取り付ける構成であるが、桁を屋根連結具にボルトで固定する場合、桁の上面に開口形成した溝に予め裏板を挿入してスライドさせ、桁を屋根連結具の下面に当たるように保持しておき、さらに屋根連結具に取り付けた連結部材をボルトで裏板に固定していた。この場合、作業員の一人がボルトの締結作業を行っている間、他の一人は桁を支え続けなければならず、手放し施工はできなかったので、手間と時間がかかるという問題があった。
【０００７】
本発明は上記問題点を解消し、吊具に対して容易かつ確実に屋根体の垂木を取り付けることができる屋根構造体を提供することをその課題とする。
【課題を解決するための手段】
【０００８】
上記課題を解決するため、請求項１に係る発明は、梁に設けられた吊具に屋根体を吊り下げ支持した屋根構造体であって、上記吊具の両側から１対の吊り片を垂下形成し、これらの吊り片の下部には斜め上向きに突出する係合部を互いに向き合うように形成する一方、上記屋根体には、その屋根枠の前枠と後枠とに架設されて屋根パネルを支持する垂木を備え、この垂木の上部には、その長手方向に沿って立上り部を形成するとともに、この立上り部の両側部に係合部を形成し、上記吊具の吊り片の係合部と上記垂木の係合部とを係合させ、上記１対の吊り片の側方から立上り部にボルトを嵌挿させ、ナットで止着固定したことを特徴とする。
【０００９】
請求項２に係る発明は、請求項１において、上記吊り片の下部の係合部は係合爪であり、上記立上り部の両側の係合部は係合溝であることを特徴とする。
【００１０】
請求項３に係る発明は、請求項１又は２において、上記立上り部の上端を膨出させ、膨出部の上端面両側には、上記両側の吊り片の先端に当って押し広げ可能なガイド面を傾斜形成したことを特徴とする。
【００１１】
【００１２】
請求項４に係る発明は、請求項１〜３のいずれかにおいて、上記１対の吊り片の両側には補強リブを形成したことを特徴とする。
【発明の効果】
【００１３】
請求項１に係る発明によれば、吊具の両側から垂下した吊り片の下部には斜め上向きに突出する係合部を互いに向き合うように形成する一方、屋根パネルを支持する垂木の上部に設けた立上り部の両側部に係合部を形成し、吊具の吊り片の係合部と立上り部の係合部とを係合させる構成であるから、係合によりいったん垂木を仮固定することができる。したがって、作業員が一人でも吊具に対して垂木を容易かつ確実に取り付けることができる。
また、１対の吊り片の側方から立上り部にボルトを嵌挿させ、ナットで止着固定したので、吊具と垂木とは、係合部同士の係合と、固定ボルト、ナットとによって二重に固定することができるとともに、少ない部品点数で確実に固定することができる。
また、ボルトは吊り片の側方から嵌挿され、下からは視認することができないので、完成した屋根構造体の内観が固定ボルトの露出によって損なわれることがない。
【００１４】
請求項２に係る発明によれば、係合溝と係合爪との係合なので、確実かつ強固に係合できる。
【００１５】
請求項３に係る発明によれば、立上り部の上端に設けられた膨出部の上端面両側には、両側の吊り片の先端に当って押し広げ可能なガイド面が傾斜形成されているので、垂木の立上り部を上記吊り片の間から強く押し込んだときに吊り片はガイド面に沿って外側に弾性変形することができるので、吊り片の係合部を立上り部の係合部に容易に弾発係合させることができる。
【００１６】
【００１７】
【００１８】
請求項４に係る発明によれば、１対の吊り片の両側には補強リブが形成されているので、吊り片がみだりに撓み変形することがなく、垂木の取り付け状態を良好に保持することができる。
【図面の簡単な説明】
【００１９】
【図１】本発明に係る大型屋根構造体の斜視図
【図２】梁に吊具を取り付けた状態を示す断面図
【図３】（ａ）（ｂ）は梁に吊具を取り付ける手順を示す一部断面説明図
【図４】吊具に対する垂木を取り付けるための作業を示す斜視図
【図５】（ａ）（ｂ）（ｃ）は吊具に対する垂木の取付態様説明図
【図６】吊具に対する垂木の取付態様説明図
【図７】垂木に屋根板を固定した状態を示す正面図
【発明を実施するための形態】
【００２０】
図１に大型屋根構造体の斜視図を示す。この大型屋根構造体は、設置スペースの間口部１を基準として左右１対の中空の金属製支柱２、２が前後に配置されている。左右の支柱２、２の上部には中空の金属製梁３が設けられている。前後の梁３は平行で、梁３の両端はブラケット（図示せず）を介して支柱２の上端に連結され、これにより門形の屋根支持部材が構成されている。なお、設置スペースとしては、自動車２、３台分の駐車スペースや、あるいは自動車１台分と玄関アプローチ、さらにはテラス部分も含むような大きなスペースが想定されている。
【００２１】
前後の梁３には複数の吊具１０が取り付けられ、吊具１０に屋根体Ａが吊り下げ支持されている。屋根体Ａは前後枠１１、１２と左右の両側枠１３とを方形に組んでなる屋根枠１４と、前後枠１１、１２に平行に架け渡された垂木１５と、屋根枠１４と垂木１５との間の空間部内に固定された屋根パネル１６とから構成されている。梁３の吊具１０には垂木１５が固定され、これにより屋根体Ａが吊り下げ支持されている。
【００２２】
次に、梁３の下部に吊具１０を取り付ける構成と吊具１０に屋根体Ａを吊り下げる構成について説明する。
【００２３】
すなわち、梁３の下部には一定の間隔をおいて複数の吊具１０が取り付けられている。
【００２４】
図２に示されるように、梁３の中空部３ａの下部には下方に開口するアリ溝（取付溝）１８が長手方向に沿って形成されている。アリ溝１８の開口部１９をはさんで両側には先端に上向き突部を形成した第１の開口縁２０と第２の開口縁２１が向き合うように形成されている。また、第１の開口縁２０の方が第２の開口縁２１よりも長く形成されている。さらに、第２の開口縁２１側の溝壁２３にはネジ孔２４が形成されている。
【００２５】
これに対し、吊具１０は図２〜図４に示されるように、上端部に形成された取付部１０ａの前後両端にそれぞれ同じ長さの第１の係合片２５と第２の係合片２６を下向きに屈曲形成し、取付部１０ａの左右両側からは１対の吊り片１７を垂下形成し、吊り片１７の両側に補強リブ１０ｂを形成した金属製部材で、両側の補強リブ１０ｂの下部には斜め上向きに突出する係合爪（係合部）３９が互いに向き合う位置に形成されている。取付部１０ａの前後の幅はアリ溝１８の開口部１９の幅よりも大きくなるように形成されている。また、第１の係合片２５の吊り片１７からの出量は、第２の係合片２６の吊り片１７からの出量よりも大きくなるように形成されている。さらに、第２の係合片２６には係合孔２７が、左右の吊り片１７の対応する位置にはボルト挿通孔２８がそれぞれ形成されている。なお、吊具の下端は垂木１５の勾配に沿うように形成されている。
【００２６】
上記構成の吊具１０を梁３の下部に取り付けるときは、まず、図３（ａ）のように、吊具１０を斜めにして第１の係合片２５をアリ溝１８の開口部の内側から入れ込み、第１の係合片２５を第１の開口縁２０に係合させる。この状態で吊具１０を回転させながら押し込んで全体を第１の開口縁２０側に移動させ、吊具１０の上端を梁３のアリ溝１８内に押し上げながら前側（第１の開口縁２０側）に押し込んで第２の係合片２６をアリ溝１８内に進入させて吊具１０の上端の取付部１０ａをアリ溝１８の上壁３０に突き当てるようにする。さらに、同図（ｂ）のように、吊具１０を後ろ側（第２の開口縁２１側）に引き戻して図２のように第２の係合片２６をアリ溝１８の第２の開口縁２１に形成した嵌合溝４４に嵌合させる。これにより、第１及び第２の係合片２５、２６は、それぞれ第１及び第２の開口縁２０、２１に係合し、吊具１０は、図２のように、梁３から吊り下げ支持された状態となる。さらに、第２の開口縁２１側の溝壁２３の所定位置に形成されたネジ孔２４にネジ９を止着し、吊具１０の第２の係合片２６に形成した係合孔孔２７に係合することにより位置決めする。同じ要領で、梁３の下部に一定の間隔をおいて複数の吊具１０が取り付けられる。
【００２７】
次に、吊具１０の下部には屋根体Ａの垂木１５が取り付けられている。垂木１５は図１に示されるように、屋根枠１４の前枠１１と後枠１２とに架設される部材で、図４、図５（ａ）に示されるように、細長の真直状板状体１５ａの上部中央には、その長手方向に沿って中空の立上り部２２を上向きに突出形成し、中空立上り部２２の両側に屋根パネルの支持部２９を張り出し形成した部材で、中空立上り部２２の頭部２２ａの上端面両側には傾斜したガイド面３１が形成されている。また、頭部２２ａの両側下部には下向きに開口する係合溝（係合部）３２が形成され、さらにその下方には、外側から内側に斜め下向きにネジ受け溝３３が形成されている。
【００２８】
支持部２９の上面にはその長手方向に沿って２条の嵌合突条３４、３５が形成され、嵌合突条３４、３５にはビート３６が嵌合固定されている。また、中空立上り部２２には吊具１０の配置に対応するようにボルト挿通孔３７が貫通形成されている。垂木１５の長さは前後の梁間距離よりも長く形成されている。
【００２９】
吊具１０の下部に垂木１５を固定するときは、前後の梁３の下に垂木１５を配置し、図４及び図５（ａ）に示されるように、梁３に固定した吊具１０の下方位置から垂木１５を押し上げ、垂木１５の中空立上り部２２の両側ガイド面３１を吊具１０の２つの吊り片１７、１７の先端に係合させ、さらに強く押し込む。吊り片１７はガイド面３１に沿って外側に弾性変形した後、同図（ｂ）のように復元し、吊り片１７の係合爪３９が中空立上り部２２の係合溝３２に弾発係合する。さらに、図６及び図７に示されるように、吊り片１７のボルト挿通孔２８から中空立上り部２２のボルト挿通孔３７に管状スペーサ３８を嵌合し、このスペーサ３８の内部に固定ボルト４０を嵌挿し、パッキン等を介してナット４１で止着固定する。
【００３０】
なお、吊具１０の下部に垂木１５を弾発係合させる場合、図５（ｃ）のように、垂木１５を斜めにして押し上げ、初めに垂木１５の中空立上り部２２の一方のガイド面３１を吊具１０の２つの吊り片１７、１７の間から押し込んで、中空立上り部２２の一方の係合溝３２に一方の吊り片１７の係合爪３９を係合させておき、この状態で、垂木１５を反対側に回動させて中空立上り部２２の他方のガイド面３１を２つの吊り片１７、１７の間から強く押し込んで、吊り片１７、１７の間隔を押し広げ、中空立上り部２２の他方の係合溝３２に他方の吊り片１７の係合爪３９を弾発係合させるようにしてもよい。
【００３１】
さらに、各垂木１５の前後端部には、図１に示されるように、それぞれ前枠１１と後枠１２が固定され、前後枠１１、１２の両端には側枠１３が固定されている。側枠１３は、両端の垂木１５と一体的に取り付けられている。
【００３２】
次に、屋根パネル１６は、図７に示されるように、垂木１５とパネル押え４２とによって上下から挟持固定されている。屋根パネル１６は透光性合成樹脂の細長平板によって構成され、その側縁は垂木１５の支持部２９上の内外２条のビート３６とパネル押え４２のビート３６とによって挟持固定されている。パネル押え４２は、中空立上り部２２のネジ受け溝３３上に当接され、ネジ受け溝３３に螺着されたネジ４３によって固定されている。また、屋根パネル１６の前後端部はそれぞれ前枠１１と後枠１２に支持される。
【００３３】
なお、屋根体Ａの中央には左右方向に垂木連結材８（図１参照）が配置され、各垂木１５にネジ止め固定されている。
【００３４】
上述のように、吊具１０の下部に屋根体Ａの垂木１５を取り付けるときは、梁３に固定した吊具１０の下方位置から垂木１５を押し上げ、垂木１５の中空立上り部２２を吊具１０の２つの吊り片１７、１７の間から強く押し込むことにより、吊り片１７を外側に弾性変形させた後、吊り片１７の係合爪３９を中空立上り部２２の係合溝３２に弾発係合させるので、これにより、垂木１５は手放しの状態でも保持できるようになる。さらに固定ボルト４０による締結作業をすることによって固定することができるので、作業員が一人でも吊具１０に対して垂木１５を容易かつ確実に取り付けることができる。
【００３５】
垂木１５の立上り部２２を吊具１０の２つの吊り片１７、１７を外側に弾性変形させた後、吊り片１７の係合爪３９を立上り部の係合溝３２に弾発係合させて仮固定することができる。このため、作業員が一人でも吊具１０に対して垂木１５を容易かつ確実に取り付けることができる。
【００３６】
また、中空立上り部２２の係合溝３２は垂木１５の全長に沿って形成されており、吊具１０は垂木１５のどの位置に取り付けることもできるから、吊具１０のボルト挿通孔２８と垂木１５のボルト挿通孔３７とを正確に合致させることができ、吊具１０を梁３の正確な位置に位置決め固定することができる。しかも、吊り片１７と中空立上り部２２とは、係合爪３９と係合溝３２との係合と、固定ボルト４０とナット４１とによって二重に固定することができる。したがって、少ない部品点数で確実に固定することができる。
【００３７】
さらに、吊具１０と垂木１５とを固定する固定ボルトは、垂木１５の上方に位置し、屋根体Ａの下からは見えない。そのため、完成した屋根構造体の内観が固定ボルトの露出によって損なわれることがない。
【００３８】
加えて、吊り片１７には補強リブ１７ａが形成されているから、吊り片１７がみだりに撓み変形することがなく、垂木１５の取り付け状態を良好に保持することができる。
【００３９】
なお、吊り片と中空立上り部とは固定ボルトとナットで固定する態様に限定されない。他の公知の固定手段によって固定してもよい。立上り部は中空でなくてもよい。
【００４０】
また、吊具も上述の形態に限定されない。例えば、本体部分を筒状とし、その上部と下部にそれぞれ第１、第２の係合片と吊り片を形成する構成であってもかまわない。
【００４１】
さらに、上述の実施形態では、係合部を係合溝３２と係合爪３９としたが、係合部の形態はこれに限定されない。例えば、係合孔と係合片として構成してもよい。
【００４２】
なお、上述の屋根構造体は、屋根体Ａをフラットにすることにより、従来のカーポートの中骨のような屋根パネルの支持部材を設けることなく屋根パネルを支持することができるから、簡素な屋根構造となる。また、地面をカバーして雨から保護する面積は、屋根全体の表面積と略同じであるから、地面を効率的に覆うことができる。したがって、屋根体Ａの全体重量は垂木形状のものに比べて軽減され、地面を覆う面積を考慮すれば、梁３に対する荷重負担はあまり大きくならないから、例えば、車庫と玄関とテラスとを覆うような大型屋根構造体を実現することができ、屋根構造体の多用途展開が可能となる。
【００４３】
また、屋根体Ａはフラットで、内側には主に複数の垂木１５が平行に現れるだけであり、梁３や柱２の上部は目立たない構成であるから、構造体が大型化しても、シンプルで優美なデザインとなり、居心地がよく、快適で、居住性に優れるインテリアの空間を室外側にまで延長して創出することができる。
【符号の説明】
【００４４】
３      梁
１０    吊具
１１    前枠
１２    後枠
１５    垂木
１６    屋根パネル
１７    吊り片
１７ａ  補強リブ
２２    立上り部
２２ａ  膨出部
２８    支持部
３１    ガイド面
３２    係合溝（係合部）
３３    ネジ受け溝
３９    係合爪（係合部）
４０    固定ボルト
４１    ナット
４２    パネル押え
【図１】
0005998363.tif 000002
【図２】
0005998363.tif 000003
【図３】
0005998363.tif 000004
【図４】
0005998363.tif 000005
【図５】
0005998363.tif 000006
【図６】
0005998363.tif 000007
【図７】
0005998363.tif 000008